(57)【特許請求の範囲】
【請求項１】
中央突出部と該中央突出部の周囲に配された外環部とを有した絶縁基体と、
上記絶縁基体の中央突出部内に配されて相手方コネクタにおける信号導体に係合接触する信号用接触部と該信号用接触部から上記絶縁基体外へと伸びて外部信号端子に接続される信号用接続部とを有した信号接続導体と、
上記絶縁基体の外環部に配されて相手方コネクタにおける接地導体に係合接触する接地用接触部と該接地用接触部から上記絶縁基体外へと伸びて外部接地端子に接続される接地用接続部とを有した接地接続導体と、
を備えて成り、
上記接地接続導体の複数個が所定の間隔をおいて上記絶縁基体の中央突出部を包囲して環状に配列されて、上記相手方コネクタにおける接地導体が上記複数の接地接続導体が成す環状配列の内側に嵌合挿入されて上記複数の接地接続導体の夫々における上記接地用接触部に接触するものとされること、及び、
上記複数の接地接続導体の夫々において、上記接地用接触部と上記接地用接続部とが可動弾性屈曲部により連結されていること、
を特徴とする同軸コネクタ装置。
【請求項２】
上記可動弾性屈曲部が、上記絶縁基体の外環部に設けられた間隙部に圧入される圧入部を含んでいることを特徴とする請求項１記載の同軸コネクタ装置。
【請求項３】
上記絶縁基体の中央突出部が、上記相手方コネクタにおける接地導体の上記複数の接地接続導体が成す環状配列の内側への嵌合挿入方向に沿って伸びて両端部が開口された空洞が形成されたものとされ、該空洞内に上記信号接続導体の信号用接触部が配されることを特徴とする請求項１記載の同軸コネクタ装置。
【請求項４】
上記複数の接地接続導体が成す環状配列の内側に上記相手方コネクタにおける接地導体が嵌合挿入されるとき、上記絶縁基体の中央突出部に形成された上記空洞内に上記相手方コネクタにおける信号導体が挿入されることを特徴とする請求項３記載の同軸コネクタ装置。
【発明の詳細な説明】
【技術分野】
【０００１】
本願の特許請求の範囲に記載された発明は、回路基板に取り付けられて、当該回路基板から外部への、あるいは、外部から当該回路基板への、電磁波シールドが必要とされる信号の伝達に供される同軸コネクタ装置に関する。
【背景技術】
【０００２】
回路基板に配された導体を流れる高周波信号は、当該回路基板から外部へと、あるいは、外部から当該回路基板へと伝送されるにあたり、外部からのノイズの混入防止，外部への漏洩防止等のため、電磁波シールドが必要である信号として扱われることが多い。このような、電磁波シールドが必要である信号についての、特定の回路基板から他の回路基板等の外部への伝送、あるいは、特定の回路基板への他の回路基板等の外部からの伝送が行われるに際しては、当該特定の回路基板に取り付けられるものとされる同軸コネクタ装置が用いられる。
【０００３】
回路基板に取り付けられる同軸コネクタ装置は、通常、絶縁基体に、信号の伝達に供される信号接続導体と、信号接続導体に供給される信号に対する電磁波シールド作用をもたらすべく接地電位を伝達する接地接触導体と、が配されて構成される。そして、その使用に際しては、例えば、他の回路基板に取り付けられた他の同軸コネクタ装置と嵌合接続される状態におかれ、その信号接続導体が、他の同軸コネクタ装置における信号導体に係合接触するとともに、その接地接続導体が、他の同軸コネクタ装置における接地導体に係合接触するものとされる。それにより、伝送されるにあたって電磁波シールドが必要とされる信号の信号接続導体を通じた回路基板間における伝送が、信号接続導体と共に絶縁基体に配された接地接続導体による電磁波シールドが果たされるもとで行われる。
【０００４】
斯かる回路基板に取り付けられる同軸コネクタ装置として、平板状を成す絶縁基体に、円筒形状を成す信号接続導体と、信号接続導体を包囲する円筒形状を成す接地接続導体とが配されて構成されたものが、従来提案されている（例えば、特許文献１参照。）。
【０００５】
特許文献１に開示されている従来提案されている同軸コネクタ装置（同軸コネクタプラグ(10)) にあっては、平板状を成す絶縁基体（絶縁体(16)) に、円筒形状を成す信号接続導体（中心導体(14a))と円筒形状を成す接地接続導体（外部導体(12a))とが、接地接続導体が信号接続導体を包囲するものとされて配されており、これらの信号接続導体及び接地接続導体の夫々は、一体構造をとるものとされている。そして、このような従来提案されている同軸コネクタ装置は、フレキシブルプリント基板のような回路基板上に実装されたもとで、それに他の同軸コネクタ装置（同軸コネクタレセプタクル(110))が装着されるものとされ、その際には、円筒形状を成す信号接続導体の内側に他の同軸コネクタ装置の円柱形状を成す信号導体（中心導体(114a)）が挿入されて信号接続導体に係合接触接続されるとともに、円筒形状を成す接地接続導体の内側に他の同軸コネクタ装置の円筒形状を成す接地導体（外部導体(112a)）が挿入されて接地接続導体に係合接触接続される。
【０００６】
斯かるもとで、円筒形状を成す信号接続導体には、各々が信号接続導体の仮想中心軸（ｚ軸）に沿う方向に伸びる３個のスリットが設けられており、それにより、他の同軸コネクタ装置の信号導体が信号接続導体の内側に挿入されるときには、他の同軸コネクタ装置の信号導体によって信号接続導体が各スリットの幅を広げるようにして外側に押し広げられ、他の同軸コネクタ装置の信号導体の信号接続導体に対する接触接続が確実に行われるようにされている。また、円筒形状を成す接地接続導体には、その仮想中心軸（ｚ軸）に沿う方向に伸びる１個のスリット(S) が設けられており、それにより、他の同軸コネクタ装置の接地導体が接地接続導体の内側に挿入されるときには、他の同軸コネクタ装置の接地導体によって接地接続導体がスリット(S) の幅を広げるようにして外側に押し広げられ、他の同軸コネクタ装置の接地導体の接地接続導体に対する係合接触接続が確実に行われるようにされている。
【先行技術文献】
【特許文献】
【０００７】
【特許文献１】特開２０１３−１１８１２１号公報
【発明の概要】
【発明が解決しようとする課題】
【０００８】
上述のような、平板状を成す絶縁基体に、各々が一体構造をとるものとされた、円筒形状を成す信号接続導体と信号接続導体を包囲する円筒形状を成す接地接続導体とが配され、信号接続導体に３個のスリットが設けられるとともに、接地接続導体に１個のスリットが設けられて構成された、従来の同軸コネクタ装置においては、それに他の同軸コネクタ装置が装着されるとき、円筒形状を成す信号接続導体が、その内側に挿入される他の同軸コネクタ装置の信号導体によって、３個のスリットの夫々の幅を広げるようにして外側に押し広げられ、また、円筒形状を成す接地接続導体が、その内側に挿入される他の同軸コネクタ装置の接地導体によって、１個のスリットの幅を広げるようにして外側に押し広げられるので、信号接続導体と接地接続導体との夫々が、内側からの外力を受けて変形を生じることになる。とりわけ、信号接続導体を包囲する接地接続導体にあっては、円筒形状における径が信号接続導体に比して大とされたもとで１個のスリットの幅を広げるものとされるので、その変形の度合いが比較的大とされる。
【０００９】
それにより、従来の同軸コネクタ装置における接地接続導体は、それに他の同軸コネクタ装置が装着されるときにもたらされる変形に起因して、塑性変形を生じたものとなってしまう虞がある。特に、装置の小型化・偏平化がより一層図られて、信号接続導体及び接地接続導体についての円筒形状における仮想中心軸方向の寸法が低減される場合には、接地接続導体が塑性変形を生じたものとなる虞が増大することになってしまう。さらに、接地接続導体は、一体構造をとるもとで円筒形状を成して１個のスリットが設けられたものとされているので、その内側に挿入される他の同軸コネクタ装置の接地導体に対する接触圧や挿入抵抗力の設定・制御が、難しいことになるという不都合を伴っている。
【００１０】
斯かる点に鑑み、本願の特許請求の範囲に記載された発明は、絶縁基体に相手方コネクタにおける信号導体に係合接触する信号用接触部を有した信号接続導体と信号用接触部の周囲において相手方コネクタにおける接地導体に係合接触する接地用接触部を有した接地接続導体とが設けられて構成されたもとで、接地接続導体がその接地用接触部が係合接触する相手方コネクタにおける接地導体から受ける外力に起因して塑性変形を生じたものとなってしまう虞を抑制することができるとともに、接地接続導体についての相手方コネクタにおける接地導体に対する接触圧や挿入抵抗力の設定・制御を容易とすることができる同軸コネクタ装置を提供する。
【課題を解決するための手段】
【００１１】
本願の特許請求の範囲における請求項１から請求項４までのいずれかに記載された発明（以下、本願発明という。）に係る同軸コネクタ装置は、中央突出部とその周囲に配された外環部とを有した絶縁基体と、絶縁基体の中央突出部内に配されて相手方コネクタにおける信号導体に係合接触する信号用接触部とそれから絶縁基体外へと伸びて外部信号端子に接続される信号用接続部とを有した信号接続導体と、絶縁基体の外環部に配されて相手方コネクタにおける接地導体に係合接触する接地用接触部とそれから絶縁基体外へと伸びて外部接地端子に接続される接地用接続部とを有した接地接続導体とを備えて成り、接地接続導体の複数個が所定の間隔をおいて絶縁基体の中央突出部を包囲して環状に配列されて、相手方コネクタにおける接地導体が複数の接地接続導体が成す環状配列の内側に嵌合挿入されて複数の接地接続導体の夫々における接地用接触部に接触するものとされること、及び、複数の接地接続導体の夫々において、接地用接触部と接地用接続部とが可動弾性屈曲部により連結されていることを特徴とする。
【００１２】
上述のように構成される本願発明に係る同軸コネクタ装置は、信号接続導体と複数の接地接続導体とが相互絶縁状態をもって配された絶縁基体が、例えば、回路基板に配置されたもとにおいて、信号導体と接地導体とを備えた相手方コネクタとの嵌合接続がなされて使用される。絶縁基体が回路基板に配置されたもとにおいては、信号接続導体の信号用接続部が、外部信号端子とされる回路基板に設けられた信号端子に接続されるとともに、接地接続導体の接地用接続部が、外部接地端子とされる回路基板に設けられた接地端子に接続される。
【００１３】
そして、本願発明に係る同軸コネクタ装置が相手方コネクタとの嵌合接続状態におかれるときには、絶縁基体の中央突出部内に配された信号接続導体の信号用接触部が相手方コネクタにおける信号導体に係合接触するとともに、相手方コネクタにおける接地導体が、複数の接地接続導体が成す環状配列の内側に嵌合挿入されて複数の接地接続導体の夫々における接地用接触部に接触するものとされ、それにより、絶縁基体の外環部に配された複数の接地接続導体の夫々の接地用接触部が相手方コネクタにおける接地導体に係合接触することになる。その際、相手方コネクタにおける接地導体が複数の接地接続導体が成す環状配列の内側に嵌合挿入されて複数の接地接続導体の夫々における接地用接触部に接触する状態をとるとき、相手方コネクタにおける接地導体が、複数の接地接続導体の夫々における接地用接触部にそれを押圧する外力を及ぼし、接地用接触部に複数の接地接続導体が成す環状配列の外側に向かう変位を生じさせるが、斯かる接地用接触部の変位は、接地用接触部と接地用接続部とを連結する可動弾性屈曲部により吸収されて、接地接続導体の他の部分の不所望な変形をまねかないものとされる。
【００１４】
また、本願発明に係る同軸コネクタ装置にあっては、所定の間隔をおいて絶縁基体の中央突出部を包囲して環状に配列されるものとして絶縁基体の外環部に配された複数の接地接続導体は、それらの各々の絶縁基体の外環部に対する位置を個別に調整する位置調整を行うことが可能とされていて、斯かる位置調整により、複数の接地接続導体についてのそれらが成す環状配列の内側に嵌合挿入されて接地用接触部に接触する相手方コネクタにおける接地導体に対する接触圧や挿入抵抗力の設定・制御を行うことができ、さらには、複数の接地接続導体が成す環状配列の径を変更することもできる。
【発明の効果】
【００１５】
上述の本願発明に係る同軸コネクタ装置によれば、相手方コネクタとの嵌合接続状態におかれるにあたり、相手方コネクタにおける接地導体が、複数の接地接続導体が成す環状配列の内側に嵌合挿入されて複数の接地接続導体の夫々における接地用接触部に接触するものとされ、それにより、絶縁基体の外環部に配された複数の接地接続導体の夫々の接地用接触部が相手方コネクタにおける接地導体に係合接触することになる際に、相手方コネクタにおける接地導体が、複数の接地接続導体の夫々における接地用接触部に、それを押圧する外力を及ぼして生じさせる複数の接地接続導体が成す環状配列の外側に向かう変位が、接地用接触部と接地用接続部とを連結する可動弾性屈曲部により吸収されて、接地接続導体の他の部分の不所望な変形をまねかないものとされるので、複数の接地接続導体の夫々がその接地用接触部が係合接触する相手方コネクタにおける接地導体から受ける外力に起因して塑性変形を生じたものとなってしまう虞を抑制することができる。
【００１６】
また、本願発明に係る同軸コネクタ装置にあっては、所定の間隔をおいて絶縁基体の中央突出部を包囲して環状に配列されるものとして絶縁基体の外環部に配された複数の接地接続導体が、それらの各々の絶縁基体の外環部に対する位置を個別に調整する位置調整を行うことが可能とされていて、それにより、複数の接地接続導体についてのそれらが成す環状配列の内側に嵌合挿入されて接地用接触部に接触する相手方コネクタにおける接地導体に対する接触圧や挿入抵抗力の設定・制御を行うことができ、さらには、複数の接地接続導体が成す環状配列の径を変更することもできるので、複数の接地接続導体の夫々についての相手方コネクタにおける接地導体に対する接触圧や挿入抵抗力の設定・制御を容易とすることができることになる。
【図面の簡単な説明】
【００１７】
【図１】本願発明に係る同軸コネクタ装置の一例を分解して示す分解斜視図である。
【図２】本願発明に係る同軸コネクタ装置の一例に備えられる接地接続導体を示す拡大斜視図である。
【図３】本願発明に係る同軸コネクタ装置の一例をそれが取り付けられた回路基板と共に示す斜視図である。
【図４】本願発明に係る同軸コネクタ装置の一例をそれが取り付けられた回路基板と共に示す平面図である。
【図５】図４における V−V 線断面を示す断面図である。
【図６】回路基板に取り付けられた本願発明に係る同軸コネクタ装置の一例とそれに対向配置された相手方コネクタとを示す斜視図である。
【図７】回路基板に取り付けられた本願発明に係る同軸コネクタ装置の一例に相手方コネクタが嵌合接続された状態を示す斜視図である。
【図８】回路基板に取り付けられた本願発明に係る同軸コネクタ装置の一例に相手方コネクタが嵌合接続された状態を示す平面図である。
【図９】図８におけるIX−IX線断面を示す断面図である。
【発明を実施するための形態】
【００１８】
本願発明を実施するための最良の形態は、以下に述べられる本願発明についての実施例をもって説明される。
【実施例】
【００１９】
図１は、本願発明に係る同軸コネクタ装置の一例を分解して示す。図１に示される本願発明に係る同軸コネクタ装置の一例を成す同軸コネクタ装置１０は、実際の使用にあたっては、回路基板に取り付けられたもとで、それに信号導体と接地導体とを備えた相手方コネクタが嵌合接続されるものとされる。
【００２０】
同軸コネクタ装置１０は、主要構成要素として、合成樹脂材等の絶縁材料により形成されて、例えば、回路基板上に配される絶縁基体１１と、弾性導電性材料により形成されて絶縁基体１１に配される状態をとる信号接続導体１２と、各々が弾性導電性材料により形成されて絶縁基体１１に信号接続導体１２から絶縁されて配される状態をとる、例えば、４個とされる複数の接地接続導体１3 とを備えている。絶縁基体１１は、全体が円形状外形を成すものとされていて、回路基板状上に配されるとき回路基板に対接することになる部分 (以下、底面部という。）の中央部分から円錐状を成して立ち上がる中央突出部１４と、底面部の周縁部分において中央突出部１４の周囲に配された壁状を成す外環部１５とを有している。中央突出部１４には、絶縁基体１１の底面部と中央突出部１４における底面部とは反対側の端面部 (以下、上端面部という）とにおいて夫々開口する両端を有した空洞１６が形成されている。また、外環部１５には、所定の間隔をおいて形成された、例えば、４個とされる複数の間隙部１７が設けられている。
【００２１】
信号接続導体１２は、絶縁基体１１の中央突出部１４に形成された空洞１６に絶縁基体１１の底面部側から差し込まれて中央突出部１４内に配され、同軸コネクタ装置１０に相手方コネクタが嵌合接続されたとき、その相手方コネクタの信号導体に係合接触する状態をとる信号用接触部１８と、信号用接触部１８が絶縁基体１１の中央突出部１４内に配されたもとで、信号用接触部１８から絶縁基体１１外へと伸びて外部信号端子に接続される状態をとる信号用接続部１９とを有している。信号用接触部１８は、例えば、一対の相互対向弾性片によって形成される。また、信号用接続部１９が接続される外部信号端子は、例えば、絶縁基体１１が配された回路基板に設けられた信号端子とされる。
【００２２】
複数の接地接続導体１3 は、各々の一部分が絶縁基体１１の外環部１５に設けられた複数の間隙部１７に夫々圧入されることにより外環部１５に配され、それにより、所定の間隔をおいて絶縁基体１１の中央突出部１４を包囲して環状に配列された状態に置かれるものとされる。そして、複数の接地接続導体１3 の夫々は、図２に拡大図示されているように、同軸コネクタ装置１０に相手方コネクタが嵌合接続されたとき、その相手方コネクタの接地導体に係合接触する状態をとる接地用接触部２０と、接地接続導体１3 が絶縁基体１１の外環部１５に配されたもとで、外環部１５から絶縁基体１１外へと伸びて外部接地端子に接続される状態をとる接地用接続部２１と、接地用接触部２０と接地用接続部２１とを連結する可動弾性屈曲部２２とを有している。接地用接触部２０には、相手方コネクタの接地導体に係合する状態をとる接触突起２０ａが設けられている。また、可動弾性屈曲部２２は、絶縁基体１１の外環部１５に設けられた間隙部１７に圧入される状態をとる圧入部２２ａを含んでいる。圧入部２２ａは、例えば、可動弾性屈曲部２２における板幅方向の側面に設けられた突起部を有している。そして、接地用接続部２１が接続される外部接地端子は、例えば、絶縁基体１１が配された回路基板に設けられた接地端子とされる。
【００２３】
図３（斜視図）及び図４（平面図）は、図１に示される主要構成要素が組み立てられて得られた同軸コネクタ装置１０が回路基板２５に取り付けられた状態を示す。斯かるもとにあっては、絶縁基体１１が、その底面部を回路基板２５に対接させて回路基板２５上に配されている。そして、複数の接地接続導体１３が、それらの夫々の可動弾性屈曲部２２に含まれた圧入部２２ａが絶縁基体１１の外環部１５に設けられた間隙部１７に圧入されることにより外環部１５に配されて、所定の間隔をおいて絶縁基体１１の中央突出部１４を包囲する環状配列を成す状態に置かれている。このようにして、所定の間隔をおいて絶縁基体１１の中央突出部１４を包囲する環状配列を成す状態に置かれる複数の接地接続導体１３は、それらの各々の絶縁基体１１の外環部１５に対する位置を個別に調整する位置調整を行うことが可能とされている。また、信号接続導体１２の信号用接続部１９が、絶縁基体１１の底面部側から絶縁基体１１の外部に導出されて、回路基板２５においてそれに設けられた信号端子 (図示が省略されている。）に、例えば、半田付けにより接続されている。
【００２４】
さらに、図４におけるV −V 線断面を示す図５にも示されるように、絶縁基体１１の中央突出部１４に形成された空洞１６には、信号接続導体１２の信号用接触部１８が配されており、また、複数の接地接続導体１３の夫々の接地用接続部２１が、絶縁基体１１の底面部側から絶縁基体１１の外部に導出されて、回路基板２５においてそれに設けられた接地端子 (図示が省略されている。）に、例えば、半田付けにより接続されている。
【００２５】
このようにして、回路基板２５に取り付けられた同軸コネクタ装置１０に、信号導体と接地導体とを備えた相手方コネクタが嵌合接続されるが、その際には、先ず、図６に示されるように、回路基板２５に取り付けられた同軸コネクタ装置１０に対向する位置に、回路基板２５とは別の回路基板２６（図６にあっては仮想線をもって示されている。）に取り付けられた相手方コネクタ２７が配される。相手方コネクタ２７は、合成樹脂材等の絶縁材料により形成されて回路基板２６に配された絶縁基体２８に、導電性材料により円柱状部２９ａ（後述の図９に示される。）を有するものとして形成された信号導体２９と、導電性材料により環状部３０ａを有するものとして形成された接地導体３０とが、相互絶縁されたもとで配されて構成されている。その後、回路基板２６に取り付けられた相手方コネクタ２７が、図６に示される位置から回路基板２５に取り付けられた同軸コネクタ装置１０に向けて移動せしめられて、同軸コネクタ装置１０に嵌合接続され、図７（斜視図）及び図８（平面図）に示されるような、回路基板２６に取り付けられた相手方コネクタ２７が回路基板２５に取り付けられた同軸コネクタ装置１０に嵌合接続された状態がとられる。
【００２６】
相手方コネクタ２７が同軸コネクタ装置１０に嵌合接続されたもとにあっては、図８におけるIX−IX線断面を示す図９に示されるように、相手方コネクタ２７における信号導体２９の円柱状部２９ａが、同軸コネクタ装置１０における絶縁基体１１の中央突出部１４に形成された空洞１６内に挿入され、同軸コネクタ装置１０における空洞１６に配された信号接続導体１２の信号用接触部１８が、それを形成する一対の相互対向弾性片によって信号導体２９の円柱状部２９ａを挟持する。それにより、同軸コネクタ装置１０における信号接続導体１２の信号用接触部１８が相手方コネクタ２７における信号導体２９に係合接触する状態が得られる。また、それとともに、相手方コネクタ２７における接地導体３０の環状部３０ａが、同軸コネクタ装置１０における複数の接地接続導体１3 が成す環状配列の内側に嵌合挿入されて、複数の接地接続導体１3 の夫々における接地用接触部２０に接触する。それにより、同軸コネクタ装置１０における複数の接地接続導体１３の夫々の接地用接触部２０が相手方コネクタ２７における接地導体３０に係合接触する状態が得られる。
【００２７】
このようにして、相手方コネクタ２７における接地導体３０の環状部３０ａが、同軸コネクタ装置１０における複数の接地接続導体１3 が成す環状配列の内側に嵌合挿入されて、複数の接地接続導体１3 の夫々における接地用接触部２０に接触する際には、相手方コネクタ２７における接地導体３０の環状部３０ａが、同軸コネクタ装置１０における複数の接地接続導体１3 の夫々における接地用接触部２０にそれを押圧する外力を及ぼし、その接地用接触部２０に複数の接地接続導体１３が成す環状配列の外側に向かう変位を生じさせるが、斯かる接地用接触部２０の変位は、それに伴って当該接地接続導体１3 における接地用接触部２０と接地用接続部２１とを連結する可動弾性屈曲部２２が弾性変位することにより、可動弾性屈曲部２２によって吸収される。即ち、同軸コネクタ装置１０における複数の接地接続導体１3 の夫々の接地用接触部２０に、それに接触する相手方コネクタ２７における接地導体３０の環状部３０ａによってもたらされる変位は、当該接地接続導体１3 の可動弾性屈曲部２２により吸収されて、接地接続導体１３の他の部分の不所望な変形をまねかないものとされるのである。
【００２８】
なお、相手方コネクタ２７における接地導体３０の環状部３０ａが、同軸コネクタ装置１０における複数の接地接続導体１3 の夫々の接地用接触部２０に接触する際には、図９に示されるように、接地用接触部２０に設けられた接触突起２０ａが接地導体３０の環状部３０ａに設けられた凹部に係合して、複数の接地接続導体１3 の夫々の接地用接触部２０に接触した接地導体３０の環状部３０ａを係止する。それにより、相手方コネクタ２７における接地導体３０の環状部３０ａが同軸コネクタ装置１０における複数の接地接続導体１3 の夫々の接地用接触部２０に接触した状態が安定に維持される。
【００２９】
そして、回路基板２６に取り付けられた相手方コネクタ２７が回路基板２５に取り付けられた同軸コネクタ装置１０に嵌合接続されたもとにあっては、同軸コネクタ装置１０が取り付けられた回路基板２５と相手方コネクタ２７が取り付けられた回路基板２６とが、同軸コネクタ装置１０における信号接続導体１２及び複数の接地接続導体１３及び相手方コネクタ２７における信号導体２９及び接地導体３０を通じて、電気的に接続されることになり、伝送にあたって電磁波シールドが必要とされる信号の回路基板２５と回路基板２６との間での伝送が可能とされる。
【００３０】
上述の同軸コネクタ装置１０によれば、相手方コネクタ２７との嵌合接続状態におかれるにあたり、相手方コネクタ２７における接地導体３０の環状部３０ａが、複数の接地接続導体１３が成す環状配列の内側に嵌合挿入されて複数の接地接続導体１３の夫々における接地用接触部２０に接触するものとされ、それにより、絶縁基体１１の外環部１５に配された複数の接地接続導体１３の夫々の接地用接続部２０が相手方コネクタ２７における接地導体３０に係合接触することになる際に、相手方コネクタ２７における接地導体３０が、複数の接地接続導体１３の夫々における接地用接触部２０に、それを押圧する外力を及ぼして生じさせる複数の接地接続導体１３が成す環状配列の外側に向かう変位が、接地用接触部２０と接地用接続部２１とを連結する可動弾性屈曲部２２により吸収されて、接地接続導体１３の他の部分の不所望な変形をまねかないものとされるので、複数の接地接続導体１３の夫々がその接地用接触部２０が係合接触する相手方コネクタ２７における接地導体３０から受ける外力に起因して塑性変形を生じたものとなってしまう虞を抑制することができる。
【００３１】
また、同軸コネクタ装置１０にあっては、所定の間隔をおいて絶縁基体１１の中央突出部１４を包囲して環状に配列されるものとして絶縁基体１１の外環部１５に配された複数の接地接続導体１３が、それらの各々の絶縁基体１１の外環部１５に対する位置を個別に調整する位置調整を行うことが可能とされていて、それにより、複数の接地接続導体１３についてのそれらが成す環状配列の内側に嵌合挿入されて接地用接触部２０に接触する相手方コネクタ２７における接地導体３０に対する接触圧や挿入抵抗力の設定・制御を行うことができ、さらには、複数の接地接続導体１３が成す環状配列の径を変更することもできるので、複数の接地接続導体１３の夫々についての相手方コネクタ２７における接地導体３０に対する接触圧や挿入抵抗力の設定・制御を容易とすることができる。
【産業上の利用可能性】
【００３２】
以上のような本願発明に係る同軸コネクタ装置は、絶縁基体に相手方コネクタにおける信号導体に係合接触する信号用接触部を有した信号接続導体と信号用接触部の周囲において相手方コネクタにおける接地導体に係合接触する接地用接触部を有した接地接続導体とが設けられて構成されたもとで、接地接続導体がその接地用接触部が係合接触する相手方コネクタにおける接地導体から受ける外力に起因して塑性変形を生じたものとなってしまう虞を抑制することができるとともに、接地接続導体についての相手方コネクタにおける接地導体に対する接触圧や挿入抵抗力の設定・制御を容易とすることができるものとして、様々な電子機器等に広く適用され得るものである。
【符号の説明】
【００３３】
１０・・・同軸コネクタ装置，  １１，２８・・・絶縁基体，  １２・・・信号接続導体，  １３・・・接地接続導体，  １４・・・中央突出部，  １５・・・外環部，  １６・・・空洞,   １７・・・間隙部，  １８・・・信号用接触部，  １９・・・信号用接続部，  ２０・・・接地用接触部，  ２０ａ・・・接触突起，  ２１・・・接地用接続部，  ２２・・・可動弾性屈曲部，  ２２ａ・・・圧入部，  ２５，２６・・・回路基板，  ２７・・・相手方コネクタ，  ２９・・・信号導体，  ２９ａ・・・円柱状部，  ３０・・・接地導体，  ３０ａ・・・環状部
【図１】
0006610309.tif 000002
【図２】
0006610309.tif 000003
【図３】
0006610309.tif 000004
【図４】
0006610309.tif 000005
【図５】
0006610309.tif 000006
【図６】
0006610309.tif 000007
【図７】
0006610309.tif 000008
【図８】
0006610309.tif 000009
【図９】
0006610309.tif 000010